(57)【要約】【課題】ベルトへの取付作業を容易にすることが可能なベルトの張力検知装置と、このベルトの張力検知装置を備えたチャイルドシートとを提供する。【解決手段】張力インジケータ１は、ベルトＢの延在方向の途中部に配置されたローラ１０と、該ローラ１０をベルト巻取方向及びベルト巻出方向に回転自在に収容したケース２０と、該ローラ１０をベルト巻取方向に付勢しているが、ベルトＢに所定以上の張力が加えられると該ローラ１０のベルト巻出方向への回転を許容するスプリング３０と、該ローラ１０がベルト巻出方向に回転したことを示す異色部４０及び窓２４とを備えている。ローラ１０には、該ローラ１０をその軸心線と直交方向に貫通したスリット１２が設けられており、このスリット１２に引き通されている。【選択図】図７
2007112414.tif 000002
【特許請求の範囲】
【請求項１】
ベルトに所定以上の張力が加えられたことを検知するためのベルトの張力検知装置において、
該ベルトの延在方向の途中部に、該ベルトに接して配置されており、ベルトの張力の増大に伴って該ベルトに押されて正方向に回転可能な回転体と、
該回転体を該正方向と反対の逆方向へ付勢している付勢手段と、
該回転体が該正方向へ所定角度以上回転したことを表示する表示手段と
を備えていることを特徴とするベルトの張力検知装置。
【請求項２】
請求項１において、該ベルトが挿通されるように該回転体にスリットが貫設されており、
該スリットは、該スリットに挿通されるベルトの幅方向が該回転体の軸心線方向又はそれと平行方向となるように設けられており、
前記付勢手段は、該スリットに挿通されたベルトを巻き取る方向に該回転体を付勢していることを特徴とするベルトの張力検知装置。
【請求項３】
請求項１において、該回転体は、その回転軸から遠ざかる方向に延在したベルトガイド面を有しており、該ベルトガイド面の少なくとも該回転軸から離反した部分が前記ベルトに当接されていることを特徴とするベルトの張力検知装置。
【請求項４】
請求項１ないし３のいずれか１項において、前記回転体を回転可能に収容したケースが設けられており、
該回転体の回転軸と交叉方向に対向する該ケースの１対の対向面に、それぞれベルト挿通孔が設けられており、
前記ベルトの一端側が一方のベルト挿通孔を通って該ケース外に引き出され、他端側が他方のベルト挿通孔を通って該ケース外に引き出されることを特徴とするベルトの張力検知装置。
【請求項５】
請求項４において、前記表示手段は、該ケースに設けられた窓と、該回転体の周面の一部に設けられた異色部とからなり、
該回転体が所定角度以上回転すると、該異色部が該窓に対峙することを特徴とするベルトの張力検知装置。
【請求項６】
車両の座席に設置され、ベルトによって車両側部材に連結固定されるチャイルドシートであって、
該ベルトに所定以上の張力が加えられたことを検知するベルトの張力検知装置を備えたチャイルドシートにおいて、
該ベルトの張力検知装置が請求項１ないし５のいずれか１項に記載のベルトの張力検知装置であることを特徴とするチャイルドシート。
【発明の詳細な説明】
【技術分野】
【０００１】
本発明は、ベルトに所定以上の張力が加えられたことを検知するためのベルトの張力検知装置と、ベルトによって車両に連結固定されるタイプのチャイルドシートとに関する。
【背景技術】
【０００２】
車両の座席にチャイルドシートを設置し、該チャイルドシートと車両部材との間にベルトを張り渡して該チャイルドシートを固定することは周知である（例えば、米国特許出願ＵＳ２００５／０００６９３４Ａ１号公報）。
【０００３】
上記米国特許出願ＵＳ２００５／０００６９３４Ａ１号公報には、このベルトに所定以上の張力が加えられたことを検知するためのベルトの張力検知装置を設けることが記載されている。
【０００４】
同号公報では、ベルトは、その延在方向の一半側（例えばチャイルドシート側）の第１のストラップと、他半側（例えば車両部材側）の第２のストラップとからなり、これらのストラップ同士を連結するようにしてベルトの張力検知装置が設けられている。
【０００５】
同号公報のＦｉｇ．５の態様においては、このベルトの張力検知装置は、該第１のストラップの先端側を巻き取るためのローラと、該ローラを収容したハウジングと、該ローラをストラップ巻取方向に付勢しているが、ストラップに所定以上の張力が加えられると該回転体のストラップ巻出方向への回転を許容するスプリングと、該ローラがストラップ巻取方向へ回転した状態となっているかを示す表示部とを備えている。該ハウジングに第２のストラップが連結される。
【０００６】
該表示部はローラの外周面に沿って設けられており、ハウジングには、この表示部を視認するための窓が設けられている。この表示部のうち、ローラがストラップを巻き取った状態のときに窓に露呈する部分は、赤色に着色されている。また、ローラがストラップ巻出方向に回転したときに窓に露呈する部分は、緑色に着色されている。
【０００７】
このベルトの張力検知装置にあっては、ストラップに張力が加えられていないとき、あるいは該ストラップに加えられた張力が所定値未満であるときには、ローラがストラップ巻取状態となっており、窓には赤色が表示されている。ストラップの張力が所定値以上になると、ローラがスプリングの付勢力に抗してストラップ巻出方向に回転し、窓の表示が赤色から緑色に変わる。これにより、ストラップに所定以上の張力が加えられたことが視認される。
【特許文献１】米国特許出願ＵＳ２００５／０００６９３４Ａ１号公報
【発明の開示】
【発明が解決しようとする課題】
【０００８】
上記米国特許出願ＵＳ２００５／０００６９３４Ａ１号公報のベルトの張力検知装置にあっては、ベルトが第１のストラップと第２のストラップとに分断されており、第１のストラップをローラに接続し、第２のストラップをハウジングに接続するようにしている。このため、張力検知装置のベルトへの取り付け作業が面倒である。
【０００９】
本発明は、ベルトへの取付作業を容易にすることが可能なベルトの張力検知装置と、このベルトの張力検知装置を備えたチャイルドシートとを提供することを目的とする。
【課題を解決するための手段】
【００１０】
請求項１のベルトの張力検知装置は、ベルトに所定以上の張力が加えられたことを検知するためのベルトの張力検知装置において、該ベルトの延在方向の途中部に、該ベルトに接して配置されており、ベルトの張力の増大に伴って該ベルトに押されて正方向に回転可能な回転体と、該回転体を該正方向と反対の逆方向へ付勢している付勢手段と、該回転体が該正方向へ所定角度以上回転したことを表示する表示手段とを備えていることを特徴とするものである。
【００１１】
請求項２のベルトの張力検知装置は、請求項１において、該ベルトが挿通されるように該回転体にスリットが貫設されており、該スリットは、該スリットに挿通されるベルトの幅方向が該回転体の軸心線方向又はそれと平行方向となるように設けられており、前記付勢手段は、該スリットに挿通されたベルトを巻き取る方向に該回転体を付勢していることを特徴とするものである。
【００１２】
請求項３のベルトの張力検知装置は、請求項１において、該回転体は、その回転軸から遠ざかる方向に延在したベルトガイド面を有しており、該ベルトガイド面の少なくとも該回転軸から離反した部分が前記ベルトに当接されていることを特徴とするものである。
【００１３】
請求項４のベルトの張力検知装置は、請求項１ないし３のいずれか１項において、前記回転体を回転可能に収容したケースが設けられており、該回転体の回転軸と交叉方向に対向する該ケースの１対の対向面に、それぞれベルト挿通孔が設けられており、前記ベルトの一端側が一方のベルト挿通孔を通って該ケース外に引き出され、他端側が他方のベルト挿通孔を通って該ケース外に引き出されることを特徴とするものである。
【００１４】
請求項５のベルトの張力検知装置は、請求項４において、前記表示手段は、該ケースに設けられた窓と、該回転体の周面の一部に設けられた異色部とからなり、該回転体が所定角度以上回転すると、該異色部が該窓に対峙することを特徴とするものである。
【００１５】
請求項６のチャイルドシートは、車両の座席に設置され、ベルトによって車両側部材に連結固定されるチャイルドシートであって、該ベルトに所定以上の張力が加えられたことを検知するベルトの張力検知装置を備えたチャイルドシートにおいて、該ベルトの張力検知装置が請求項１ないし５のいずれか１項に記載のベルトの張力検知装置であることを特徴とするものである。
【発明の効果】
【００１６】
本発明（請求項１）のベルトの張力検知装置にあっては、ベルトの延在方向の途中部に、該ベルトに接して回転体が配置されており、このベルトの該回転体を挟んだ一端側と他端側とが一連一体となっている。
【００１７】
このベルトに加えられる張力が所定値よりも小さいときには、ベルトの回転体を押す力が弱く、回転体は正方向に回転していないか、又はこの回転角度が所定値よりも小さなものとなっている。
【００１８】
ベルトに加えられる張力が所定値以上になると、回転体がこのベルトに押されて正方向に所定角度以上回転する。そして、このように回転体が所定角度以上回転したことが表示手段に表示される。これにより、ベルトに所定以上の張力が加えられたことが検知される。
【００１９】
本発明のベルトの張力検知装置は、回転体にベルトの端部を連結することが不要であり、ベルトの張力検知装置の構成を比較的簡易なものとすることが可能である。また、この張力検知装置をベルトに取り付けるに当っては、回転体をベルトに接するように配置すればよく、この張力検知装置のベルトへの取付作業も容易にすることができる。
【００２０】
なお、前述の米国特許出願ＵＳ２００５／０００６９３４Ａ１号公報のベルトの張力検知装置においては、ベルトの延在方向に該張力検知装置を移動させる場合には、該張力検知装置の両側の第１のストラップ及び第２のストラップの長さをそれぞれ調節する（一方を長くし、他方を短くする）必要があるが、本発明のベルトの張力検知装置にあっては、回転体がベルトに接しているだけなので、該回転体をベルトに沿ってスライドさせるだけでよい。これにより、ベルトの延在方向における張力検知装置の取付位置の調節も容易且つ迅速に行うことができる。
【００２１】
請求項２の態様にあっては、回転体を貫通するスリットにベルトが引き通されており、このベルトの該回転体を挟んだ一端側と他端側とが一連一体となっている。
【００２２】
この態様では、回転体が付勢手段によりベルト巻取方向に付勢されており、ベルトに加えられる張力が所定値よりも小さいときには、回転体はベルト巻出方向に回転していないか、又はこの回転角度が所定値よりも小さなものとなっている。そして、ベルトに加えられる張力が所定値以上になると、回転体がベルト巻出方向に所定角度以上回転し、このことが表示手段に表示される。これにより、ベルトに所定以上の張力が加えられたことが検知される。
【００２３】
この態様では、張力検知装置をベルトに取り付けるに当っては、スリットにベルトを通せばよく、この張力検知装置のベルトへの取付作業も容易にすることができる。また、この態様では、ベルトが該スリットを介して回転体を貫通するため、ベルトの延在方向における張力検知装置の取付位置の調節も、回転体をベルトに沿ってスライドさせるだけで容易且つ迅速に行うことができる。
【００２４】
請求項３の態様にあっては、回転体は、その回転軸から遠ざかる方向に延在したベルトガイド面を有しており、ベルトに対しこのベルトガイド面を介して当接しているだけなので、構成が簡易である。また、ベルトに張力検知装置を取り付けるに当っては、この回転体のベルトガイド面をベルトに当てがうようにするだけでよく、ベルトへの張力検知装置の取付作業を一層容易にすることができる。この張力検知装置のベルトに対する取付位置の調節も、このベルトガイド面をベルトの表面に沿ってずらすだけでよいので、一層容易且つ迅速に行うことが可能である。
【００２５】
なお、この請求項３の態様においては、ベルトの張力が所定値よりも小さいときには、ベルトのベルトガイド面を押す力が弱いため、該ベルトガイド面がベルト側（正方向と反対の逆方向）へ傾き、ベルトを屈曲させている。ベルトの張力が増大すると、ベルトが緊張した（所謂ピンと張った）状態になろうとしてベルトガイド面を押し、これにより回転体が正方向に回転する。そして、ベルトの張力が所定値よりも大きくなると、回転体の正方向への回転角度が所定角度以上になり、このことが表示部に表示される。
【００２６】
請求項４のように、回転体の回転軸と交叉方向に対向するケースの１対の対向面にそれぞれベルト挿通孔を設け、ベルトの一端側を一方のベルト挿通孔を通してケース外に引き出し、他端側を他方のベルト挿通孔を通してケース外に引き出すように構成したベルトの張力検知装置にあっては、該ベルトに所定以上の張力が加えられたときには、ベルトは一方の対向面のベルト挿通孔と他方の対向面のベルト挿通孔との間に緊張した状態となり、回転体は該ベルトによって正方向に所定角度以上回転した状態でロックされる。
【００２７】
請求項５のベルトの張力検知装置にあっては、このように回転体が正方向に所定角度以上回転した状態でロックされた場合、異色部が窓と対峙し、ケース外から異色部が十分に視認される。これにより、ベルトに所定以上の張力が加えられたことを容易に視認することが可能となる。
【００２８】
本発明（請求項６）のチャイルドシートにあっては、該チャイルドシートと車両側部材とを連結するためのベルトの張力検知装置としてかかる本発明の張力検知装置を設けたことにより、ベルトへの該張力検知装置の取付作業を容易にすることができる。また、このベルトの延在方向における該張力検知装置の取付位置の調節も容易である。
【発明を実施するための最良の形態】
【００２９】
以下に、図面を参照して本発明の実施の形態について説明する。
【００３０】
第１図は実施の形態に係るベルトの張力検知装置としての張力インジケータの斜視図、第２図はこの張力インジケータの分解斜視図、第３図はこの張力インジケータのローラ（回転体）の斜視図、第４図はこのローラを収容するためのケース本体の斜視図、第５図はこのケースの両端側に装着されるキャップの斜視図、第６図（ａ），（ｂ）はそれぞれ該ローラ及びキャップとスプリングとの係合状態を示す斜視図、第７図（ａ），（ｂ）は、それぞれ、ベルトに加えられた張力が所定値未満である状態及び所定値以上となった状態を示す、第１図のVII−VII線に沿う断面図である。
【００３１】
このベルトの張力検知装置としての張力インジケータ１は、ベルトＢの延在方向の途中部に配置された回転体としてのローラ１０と、該ローラ１０をベルト巻取方向及びベルト巻出方向に回転自在に収容したケース２０と、該ローラ１０をベルト巻取方向に付勢する付勢手段としてのスプリング（ねじりスプリング）３０と、該ローラ１０がベルト巻出方向に回転したことを示す表示部（後述の異色部４０及び窓２４）とを備えている。
【００３２】
第３図に示すように、該ローラ１０は、略円柱形状のローラ本体１１と、該ローラ本体１１をその軸心線と直交方向（ローラ本体１１の直径方向）に貫通した、ベルトＢが挿通されたスリット１２と、該ローラ本体１１の軸心線方向の両端側から該軸心線の延長方向に突設された支軸１３と、該支軸１３に形成された、前記スプリング３０の一端側が係合するスプリング係止溝１４と、該ローラ本体１１の外周面から突設された、該ローラ本体１１の該支軸１３回りの所定以上の回転を阻止するためのストッパ１５とを有している。
【００３３】
なお、該スリット１２は、それに挿通されるベルトＢの幅方向がローラ本体１１の軸心線方向となるように設けられている。
【００３４】
ストッパ１５は、この実施の形態では、ローラ本体１１の軸心線方向に延設された凸条よりなる。また、第７図の通り、このストッパ１５は、スリット１２の両開口部から該ローラ本体１１の軸心線回りに略９０°ずつ位相をずらして２条設けられている。なお、この実施の形態では、各ストッパ１５の外周面が、異色部４０となっている。
【００３５】
この実施の形態では、該異色部４０は、それ以外のローラ本体１１の外周面と異なる色となっている。この異色部４０の着色方法は任意であり、例えば、塗料を塗ったり、色付きステッカーを貼るなどして着色することができる。ローラ本体１１の外周面の着色方法も任意である。これらの着色の上に文字や記号等が描かれてもよい。この異色部４０とローラ本体１１の外周面との色分けは、双方に異なる色の着色を施してもよく、いずれか一方をローラ本体１１の材質の色としてもよい。
【００３６】
前記ケース２０は、このローラ本体１１に外嵌する略円筒形状のケース本体２１と、該ケース本体２１の両端側にそれぞれ取り付けられるキャップ２２，２２とを有している。
【００３７】
第７図に示すように、該ケース本体２１には、その軸心線回りに略１８０°位相のずれた位置関係にて、該ケース本体２１の内外を連通する１対のベルト挿通孔２３，２３が設けられている。各ベルト挿通孔２３は、該ケース本体２１の軸心線方向に延在している。また、該ケース本体２１には、前記異色部４０を視認するための窓（開口）２４が形成されている。図示の通り、この実施の形態では、各ベルト挿通孔２３からケース本体２１の軸心線回りに略９０°ずつ位相をずらして２個の窓２４が設けられている。
【００３８】
この実施の形態では、この異色部４０と窓２４とにより前記表示部が構成されている。
【００３９】
該ケース本体２１の内周面からは、ローラ本体１０の前記ストッパ１５が当接する凸条２５が突設されている。この実施の形態では、第７図の通り、各ベルト挿通孔２３の周縁部のうちローラ１１のベルト巻出方向（第７図（ｂ）の矢印Ｒ方向）側の辺縁に沿ってそれぞれ凸条２５が延設されている。
【００４０】
該ケース本体２１の両端側の外周面には、キャップ２２を係止するための溝２６（第４図）が周設されている。なお、第４図の符号２６ａは、該ケース本体２１の両端から該溝２６に向って形成された、キャップ２２の位置決め用（該キャップ２２のスプリング３０との共回り防止用）の切欠き部を示している。
【００４１】
このケース本体２１内に、第７図の如くローラ１０が同軸状に配置される。図示の通り、ローラ１０の各ストッパ１５は、ケース本体２１の各凸条２５の窓２４側（各凸条２５に隣接するベルト挿通孔２３と反対側）に配置される。また、このローラ１０のスリット１２に引き通されたベルトＢのうち、該ローラ１０よりも一端側は一方のベルト挿通孔２３に通されて該ケース本体２１の外部に引き出され、該ローラ１０よりも他端側は、他方のベルト挿通孔２３に通されて該ケース本体２１の反対側の外部に引き出される。
【００４２】
第５図に示すように、各キャップ２２は、ケース本体２１の端部の外周面に被さる筒状部２２ａと、該筒状部２２ａの後端側を塞ぐ塞壁部２２ｂとを有し、該塞壁部２２ｂの中央には、該ケース本体２１内に配置されたローラ１０の支軸１３を回転可能に保持する略円筒形のボス部２７が設けられている。該ボス部２７には、スプリング３０の他端側が係合するスプリング係止溝２８が形成されている。また、該筒状部２２ａの先端側の内周面からは、前記溝２６に係合する爪２９と、前記切欠き部２６ａに係合する突起２９ａとが突設されている。
【００４３】
このキャップ２２をケース本体２１に取り付けるに当っては、該突起２９ａを切欠き部２６ａに入り込ませつつ、該ボス部２７にケース本体２１内のローラ１０の支軸１３を係合させるようにして、該ケース本体２１の端部にキャップ２２を被せる（なお、このキャップ２２の取り付けに際し、該キャップ２２の内側にスプリング３０を配置するが、このスプリング３０の配置については後述する。）。そして、このキャップ２２をケース本体２１の軸心線方向中央側へ押し込み、爪２９を溝２６に係合させる。
【００４４】
このようにしてケース本体２１の両端側にそれぞれキャップ２２を取り付けることにより、ローラ１０がケース本体２１内においてベルト巻出方向（第７図（ｂ）の矢印Ｒ方向）及びベルト巻取方向（矢印Ｒと反対方向）に回転可能に保持される。
【００４５】
スプリング３０は、第６図（ａ），（ｂ）のように、該ボス部２７及び該ボス部２７に内嵌した支軸１３を取り巻くようにして設置され、ローラ１０をベルト巻取方向に付勢するように蓄力した状態にて、両端側がそれぞれ該ボス部２７及び支軸１３の各スプリング係止溝２８，１４に係止されている。なお、第６図（ａ）においては、該支軸１３に外嵌したボス部２７の図示が省略され、第６図（ｂ）においては、該ボス部２７に内嵌した支軸１３の図示が省略されている。
【００４６】
前述の通り、キャップ２２は、その突起２９ａがケース本体２１の溝２６ａに係合したことにより、スプリング３０と共回りすることが防止されている。該スプリング３０は、このキャップ２２から反力を得てローラ１０をベルト巻取方向に付勢している。
【００４７】
このスプリング３０は、ベルトＢに所定以上の張力が加えられた場合に、ローラ１０がベルト巻出方向に所定角度以上（第７図（ａ）のように各ストッパ１５が凸条２５に当接した状態から第７図（ｂ）のように各異色部４０が各窓２４に対面するようになるまで）回転することを許容するばね定数を有している。
【００４８】
かかる構成の張力インジケータ１の作動について次に説明する。
【００４９】
ベルトＢに加えられる張力が所定値未満であるときには、第７図（ａ）のように、ローラ１０がベルト巻出方向へ回転していないか、又はこの回転角度が所定値よりも小さなものとなっており、各窓２４には異色部４０とは異なる色（ローラ本体１１の外周面の色）が露呈している。
【００５０】
ベルトＢに加えられる張力が所定値以上になると、第７図（ｂ）のように、ローラ１０がベルト巻出方向へ所定角度以上回転し、各窓２４の表示が異色部４０の色に変わる。これにより、ベルトＢに所定以上の張力が加えられたことが視認される。また、図示の通り、ベルトＢはケース２０の一方のベルト挿通孔２３と他方のベルト挿通孔２３との間に緊張した（所謂ピンと張った）状態となり、ローラ１０は該ベルトＢによって巻出状態にてロックされた状態となる。
【００５１】
この張力インジケータ１にあっては、ローラ１０を貫通するスリット１２にベルトＢが引き通されており、ベルトＢの該ローラ１０を挟んだ一端側と他端側とが一連一体となっているため、ローラ１０やケース２０にベルトＢの端部を連結することが不要であり、構成を比較的簡易なものとすることができる。また、この張力インジケータ１をベルトＢに取り付けるに当っては、該スリット１２及びケース２０の各ベルト挿通孔２３にベルトＢを通せばよく、この張力インジケータ１のベルトＢへの取付作業も容易である。
【００５２】
また、この張力インジケータ１にあっては、ベルトＢの延在方向に該張力インジケータ１を移動させる場合には、該張力インジケータ１（ローラ１０及びケース２０）をベルトＢに沿ってスライドさせるだけでよい。これにより、ベルトＢの延在方向における張力インジケータ１の取付位置の調節も容易且つ迅速に行うことができる。なお、この場合、ベルトＢに張力を加え、スリット１２の両開口部がケース２０の各ベルト挿通孔２３と対面するようになるまでローラ１０を回転させておくと、比較的容易に張力インジケータ１をベルトＢに沿ってスライドさせることができる。
【００５３】
第８図はこの張力インジケータ１を備えたチャイルドシートの斜視図である。
【００５４】
このチャイルドシート６０は、車両用シート５０のシートクッション５１上に載設されるベース６１と、該ベース６１上に連結設置されたチャイルドシート本体６２とを有している。
【００５５】
このチャイルドシート６０は、該ベース６１の後部から延出したアーム（図示略）をシート５０又は車両に設けられたアーム連結部（図示略）に連結すると共に、該チャイルドシート本体６２の上端から延出した固定用ベルト６３を、該シート５０のシートバック５２の背面側に引き回して、該シート５０又は車両に設けられたベルト連結部（図示略）に連結することにより、該シート５０に固定される。
【００５６】
なお、この固定用ベルト６３にはベルト引き締め手段（図示略）が設けられており、該ベルト６３に所定以上の張力が加わるまでこのベルト引き締め手段で該ベルト６３を引き締めることにより、チャイルドシート６０がシート５０に固定される。
【００５７】
この固定用ベルト６３の延在方向途中部に、この所定以上の張力の検知手段として、前述の第１〜７図の張力インジケータ１が取り付けられている。ベルト６３の引き締めは、この張力インジケータ１の窓２４の色が異色部４０の色に変わるまで行われる。
【００５８】
このチャイルドシート６０にあっても、張力インジケータ１を固定用ベルト６３に取り付けるに当っては、ローラ１０のスリット１２及びケース２０のベルト挿通孔２３にこのベルト６３を引き通せばよいので、このベルト６３への張力インジケータ１の取付作業が容易である。また、ベルト６３の延在方向における張力インジケータ１の取付位置の調節を行うに当っては、該張力インジケータ１（ローラ１０及びケース２０）をベルト６３に沿ってスライドさせるだけでよいので、この張力インジケータ１の取付位置調節作業も容易である。
【００５９】
第９図（ａ）は別の実施の形態に係るベルトの張力検知装置としての張力インジケータの斜視図、第９図（ｂ）は第９図（ａ）のＢ−Ｂ線に沿う断面斜視図、第１０図はこの張力インジケータの分解斜視図、第１１図はこの張力インジケータの回転体の軸受け部付近の拡大斜視図、第１２図（ａ），（ｂ）は、それぞれ、ベルトの張力が所定値よりも小さい状態及びベルトの張力が所定値以上となった状態を示す、張力インジケータの断面図、第１３図は、ベルトの張力が所定値以上となった状態を示す、張力インジケータの断面斜視図である。
【００６０】
この実施の形態のベルトの張力検知装置としての張力インジケータ１００は、ベルトＢの延在方向の途中部に、該ベルトＢと接するように配置されており、該ベルトＢの張力の増大に伴って該ベルトＢに押されて回転可能な回転体１１０（以下、このように回転体１１０がベルトＢに押されて回転する回転方向を正方向とする。）と、該回転体１１０を回転可能に収容したケース１２０と、該回転体１１０を該正方向と反対の逆方向に回転するように付勢した付勢手段としてのスプリング（ねじりスプリング）１３０と、該回転体１１０がベルトＢに押されて該正方向に回転したことを表示する表示部（後述の異色部１４０及び窓１２７）とを備えている。
【００６１】
該回転体１１０は、回転軸（支軸）１１１がベルトＢの幅方向に延在するように配置されている。この実施の形態では、該回転体１１０は、第１２図（ａ），（ｂ）に示すように、その回転軸１１１の延在方向と直交方向の断面形状が略扇形となっており、この扇の要に当たる位置付近に回転軸１１１が配置されている。また、この扇の要（即ち回転軸１１１）から遠ざかる方向に延在する一方の平坦面がベルトガイド面１１２となっており、このベルトガイド面１１２がベルトＢに接している。
【００６２】
なお、回転軸１１１を挟んで該ベルトガイド面１１２と別方向に延在する他方の平坦面もベルトＢに対面するが、該ベルトガイド面１１２とこの他方の平坦面とのなす角は所定の鋭角となっており、第１２図（ｂ）の通り、該ベルトガイド面１１２がベルトＢに押されることにより回転体１１０が正方向に回転し、該他方の平坦面がベルトＢに接近しても、該他方の平坦面はベルトＢに接しないようになっている。
【００６３】
このベルトガイド面１１２の回転軸１１１から離反する側（以下、先端側と称することがある。）の縁部と、該他方の平坦面の回転軸１１１から離反する側の縁部とをつなぐ周面は、該回転軸１１１を略湾曲中心とするように湾曲している。
【００６４】
この回転体１１０の周面のうち、その周方向の途中部（前記他方の平坦面の先端側から回転軸１１１回りに所定角度、ベルトガイド面１１２の先端側にずれた位置）が異色部１４０となっている。この異色部１４０は、該周面の他の部分とは色が異なっており、該周面に沿って、回転軸１１１の延在方向と平行方向に所定幅にて帯状に延設されている。
【００６５】
前述の実施の形態の異色部４０と同様、この異色部１４０の着色方法は任意であり、例えば、塗料を塗ったり、色付きステッカーを貼るなどして着色することができる。回転体１１０の周面の着色方法も任意である。これらの着色の上に文字や記号等が描かれてもよい。この異色部１４０と回転体１１０の周面との色分けは、双方に異なる色の着色を施してもよく、いずれか一方を回転体１１０の材質の色としてもよい。
【００６６】
回転軸１１１の両端側は、該回転軸１１１の延在方向における回転体１１０両側の端面からそれぞれ突出している。該回転体１１０の両端面からそれぞれ突出した回転軸１１１の根元側には、各々の先端側よりも径の大きい拡径部１１１ａが形成されている。この実施の形態では、一方の拡径部１１１ａを取り巻くように前記スプリング１３０が外嵌している。また、第１１図の通り、このスプリング１３０が配置された側の回転体１１０の端面からは、該スプリング１３０の一端側が係合するスプリング係止用突起１１３が突設されている。
【００６７】
前記ケース１２０は、ベルトＢの一方の面に沿って配置されるベースプレート１２１と、ベルトＢを挟んで該ベースプレート１２１と反対側から該ベースプレート１２１に被さるように装着されるハウジング１２２とを有している。
【００６８】
該ベースプレート１２１は、ベルトＢの長手方向に延在した略長方形の板状のものである。このベースプレート１２１の、ベルトＢの幅方向における両側の側縁部から、回転体１１０の回転軸１１１の両端側（拡径部１１１ａよりも先端側）をそれぞれ保持する軸受け部１２３が立設されている。各軸受け部１２３の上端部には、切欠き状の軸受け溝１２３ａ（第１０図）が形成されており、この軸受け溝１２３ａに、回転軸１１１の両端側がそれぞれ係合している。なお、この実施の形態では、該軸受け溝１２３ａは、回転軸１１１の略半周分を受け入れる深さとなっている。
【００６９】
第１１図のように、該ベースプレート１２１のうち、スプリング１３０が配置される側の軸受け部１２３の根元付近には、該スプリング１３０の他端側が係合するスプリング係止用突起１２４が突設されている。該スプリング１３０は、回転体１１０の一方の拡径部１１１ａに巻き掛けられ、該回転体１１０を前記正方向と反対の逆方向に付勢するよう畜力した状態にて、両端側がそれぞれ回転体１１０の突起１１３とベースプレート１２１の突起１２４とに係止されている。
【００７０】
該ベースプレート１２１の延在方向の両端側には、それぞれ、後述するハウジング１２２の各ベルト挿通孔１２６に係合する爪状の係止部材１２５が設けられている。
【００７１】
ハウジング１２２は、該ベースプレート１２１をその一端側から他端側まで跨ぐように延在するアーチ状部１２２ａと、該アーチ状部１２２ａの、延在方向と交叉方向の両側の側縁部にそれぞれ連なる側板部１２２ｂとを有している。
【００７２】
該アーチ状部１２２ａの延在方向の両端側に、それぞれベルト挿通孔１２６が設けられている。各ベルト挿通孔１２６は、ベースプレート１２１上に枢支された回転体１１０の回転軸１１１と平行方向に延在するスリット状のものとなっている。また、このアーチ状部１２２ａの延在方向の中間付近（即ちアーチ状部１２２ａの頂上付近）には、前記異色部１４０を視認するための窓１２７が形成されている。この窓１２７も、ベースプレート１２１上に枢支された回転体１１０の回転軸１１１の延在方向と平行方向に延在するスリット状のものとなっている。
【００７３】
この実施の形態でも、該異色部１４０と窓１２７とにより、前記表示部が構成されている。
【００７４】
各側板部１２２ｂには、ハウジング１２２をベースプレート１２１に装着したときに、該ベースプレート１２１の両側縁部から立設された前記軸受け部１２３がそれぞれ係合する凹部１２８が設けられている。該凹部１２８は各側板部１２２ｂの下縁部を切り欠くようにして形成されている。各凹部１２８の最奥部（該１０図における上端側の縁部。以下、上下方向は第１０図の上下方向に合致する。）にも、該凹部１２８内に軸受け部１２３が係合したときに前記軸受け溝１２３ａと対面する位置関係にて、軸受け溝１２８ａ（第１０図）が形成されている。この軸受け溝１２８ａも、回転軸１１１の略半周分を受け入れる深さとなっている。
【００７５】
即ち、この実施の形態では、ベースプレート１２１にハウジング１２２を装着することにより、回転軸１１１が上下から該軸受け溝１２８ａ，１２３ａ同士の間に挟み込まれるようにしてケース１２０に保持される。ただし、回転軸１１１の軸受け構造はこれに限定されるものではない。
【００７６】
この実施の形態では、ベースプレート１２１の両端側の係止部材１２５をハウジング１２２の両端側のベルト挿通孔１２６にそれぞれ弾性的に係合させることにより、該ベースプレート１２１とハウジング１２２とが連結される。なお、各係止部材１２５は、各ベルト挿通孔１２６に係合すると、各ベルト挿通孔１２６の下縁部に沿うようになる。ベルトＢは、各ベルト挿通孔１２６内において、該ベルト挿通孔１２６の上縁部と係止部材１２５との間を引き通される。
【００７７】
この張力インジケータ１００をベルトＢに取り付けるに当っては、まず、ベルトＢをハウジング１２２の両ベルト挿通孔１２６に引き通し、該ハウジング１２２の内側を通り抜けるようにする。
【００７８】
次に、このベルトＢのうち該ハウジング１２２の内側に位置する部分をベースプレート１２１に沿わせる。次いで、予めスプリング１３０が装着された回転体１１０を、ベルトガイド面１１２が該ベルトＢに対面するように、該ベルトＢの上側に配置し、回転軸１１１の両端側をそれぞれ軸受け部１２３の軸受け溝１２３ａに係合させる。また、この際、スプリング１３０の両端側を、畜力状態にて各スプリング係止用突起１１３，１２４に係止させる。
【００７９】
その後、各軸受け部１２３をハウジング１２２の対応する各凹部１２８に入り込ませつつ、ベースプレート１２１の両端側の係止部材をそれぞれ該ハウジング１２２の各ベルト挿通孔１２６に係合させ、該ベースプレート１２１とハウジング１２２とを連結する。
【００８０】
これにより、張力インジケータ１００のベルトＢへの取り付けが完了する。
【００８１】
次に、この張力インジケータ１００の作動について説明する。
【００８２】
ベルトＢに加えられる張力が所定値未満であるときには、第１２図（ａ）のように、回転体１１１がスプリング１３０の付勢力により前記逆方向に回転し、ベルトガイド面１１２は、先端側ほどベースプレート１２１に接近するように傾いた状態となっている。この際、該ベルトガイド面１１２の先端側がベルトＢを押圧し、図示の如くベルトＢを屈曲させた状態となっている。また、このとき、図示の通り、窓１２７に異色部１４０は露出せず、窓１２７には異色部１４０とは異なる色（回転体１１０の周面の、異色部１４０以外の部分の色）が露呈している。
【００８３】
ベルトＢに加えられる張力が所定値以上になると、第１２図（ｂ）に示すように、ベルトガイド面１１２がベルトＢに押され、これにより回転体１１０が正方向（図の矢印Ｒ方向）に回転する。この回転角度が所定角度以上となると、図示の如く異色部１４０が窓１２７に露出するようになり、窓１２７の表示が該異色部１４０の色に変わる。また、図示の通り、ベルトＢはケース１２０の一方のベルト挿通孔１２６と他方のベルト挿通孔１２６との間に緊張した（所謂ピンと張った）状態となり、回転体１１０は該ベルトＢによって所定角度以上回転した状態にロックされる。なお、第１２図（ｂ）の符号Ｔは、ベルトＢに加えられる張力を示している。
【００８４】
この張力インジケータ１００にあっては、回転体１１０のベルトガイド面１１２がベルトＢに接しているだけであり、ベルトＢは、その一端側から他端側まで一連一体となっているため、回転体１１０やケース１２０にベルトＢの端部を連結することが不要であり、構成を簡易なものとすることができる。また、この張力インジケータ１００をベルトＢに取り付けるに当っては、ケース１２０の各ベルト挿通孔１２６にベルトＢを通し、回転体１１０をこのベルトＢに当てがうようにすればよく、この張力インジケータ１００のベルトＢへの取付作業も容易である。
【００８５】
また、この張力インジケータ１００にあっても、ベルトＢの延在方向に該張力インジケータ１００を移動させる場合には、該張力インジケータ１００（回転体１１０及びケース１２０）をベルトＢに沿ってスライドさせ、回転体１１０のベルトガイド面１１２のベルトＢへの当接位置をずらすだけでよい。これにより、ベルトＢの延在方向における張力インジケータ１００の取付位置の調節も容易且つ迅速に行うことができる。
【００８６】
なお、この実施の形態では、回転体１１０を扇形断面形状のものとしているが、回転体の形状はこれに限定されるものではない。例えば、本発明の回転体は、回転軸１１１回りに傾動するベルトガイド面のみを有したプレート状などであってもよい。
【００８７】
上記の実施の形態は本発明の一例であり、本発明は上記の実施の形態に限定されるものではない。
【図面の簡単な説明】
【００８８】
【図１】実施の形態に係るベルトの張力検知装置としての張力インジケータの斜視図である。
【図２】図１の張力インジケータの分解斜視図である。
【図３】図１の張力インジケータのローラの斜視図である。
【図４】図１のローラを収容するためのケース本体の斜視図である。
【図５】図１のケースの両端側に装着されるキャップの斜視図である。
【図６】図１の張力インジケータのローラ及びキャップとスプリングとの係合状態を示す斜視図である。
【図７】ベルトに加えられた張力が所定値未満である状態及び所定値以上になった状態を示す、図１のVII−VII線に沿う断面図である。
【図８】図１の張力インジケータ１を備えたチャイルドシートの斜視図である。
【図９】別の実施の形態に係るベルトの張力検知装置としての張力インジケータの斜視図及び断面斜視図である。
【図１０】図９の張力インジケータの分解斜視図である。
【図１１】図９の張力インジケータの回転体軸受け部付近の斜視図である。
【図１２】図９の張力インジケータの、ベルトに加えられた張力が所定値未満である状態及び所定値以上になった状態を示す断面図である。
【図１３】ベルトに加えられた張力が所定値以上になった状態を示す断面斜視図である。
【符号の説明】
【００８９】
１  張力インジケータ
１０  ローラ
１１  ローラ本体
１２  スリット
１３  支軸
２０  ケース
２１  ケース本体
２２  キャップ
２３  ベルト挿通孔
２４  窓
３０  スプリング
４０  異色部
１００  張力インジケータ
１１０  回転体
１１１  回転軸（支軸）
１１２  ベルトガイド面
１２０  ケース
１２１  ベースプレート
１２３  軸受け部
１２６  ベルト挿通孔
１２７  窓
１３０  スプリング
１４０  異色部
【図１】
2007112414.tif 000003
【図２】
2007112414.tif 000004
【図３】
2007112414.tif 000005
【図４】
2007112414.tif 000006
【図５】
2007112414.tif 000007
【図６】
2007112414.tif 000008
【図７】
2007112414.tif 000009
【図８】
2007112414.tif 000010
【図９】
2007112414.tif 000011
【図１０】
2007112414.tif 000012
【図１１】
2007112414.tif 000013
【図１２】
2007112414.tif 000014
【図１３】
2007112414.tif 000015